(57)【要約】【課題】  パチンコ機から遊技球を強制的に排出する球抜き処理の作業効率向上を図る。【解決手段】  ホールの島に遊技球の補給機を取り付け、この補給機からパチンコ機に遊技球を補給する。補給機は、補給の可否を切り換えるためのレバーを設け、遊技機の本体枠を閉じた時に遊技機の一部で、このレバーを押すことによって補給可能となるよう構成する。本体枠には、閉じた時でもレバーに干渉しないような位置に球タンクを設ける。そして、レバーを押すための部材として、球タンクとは別に球抜きスイッチの操作に応じて可動するレバー干渉部を設ける。球抜きスイッチを押すと、レバー干渉部はレバーと干渉しない位置に退避する。こうすることにより、球抜きスイッチを操作するだけで補給機からの補給を停止することができ、球抜き作業を効率的に行うことが可能となる。【選択図】  図６
2006314555.tif 000002
【特許請求の範囲】
【請求項１】
機械的な動作によって補給の可否を切り換える作動スイッチが設けられた外部の補給機から遊技球の補給を受ける遊技機であって、
前記遊技球を一時的に蓄積し、蓄積した遊技球を払い出すための蓄積機構と、
前記蓄積機構に、前記遊技球を強制排出させるための動作を指示するための球抜きスイッチと、
前記球抜きスイッチの操作に応じて、前記補給機の作動スイッチを非作動状態に切り換える切換機構とを備える遊技機。
【請求項２】
請求項１記載の遊技機であって、
外枠と、
前記外枠に対して開閉可能に取り付けられた本体枠とを有し、
前記外枠は、前記補給機が固定されている固定部位に対して前記本体枠が開閉可能に取付けられ、
前記作動スイッチは、前記開閉時に前記本体枠の一部が干渉することで回動するよう構成された作動レバーであり、  前記蓄積機構は、前記本体枠を閉じても前記作動レバーと干渉しない状態に設けられた球タンクを有し、
前記切換機構は、前記本体枠を閉じた状態で前記作動レバーに干渉して作動状態に回動させるとともに、前記球抜きスイッチの操作に応じて前記作動レバーと非干渉の状態となる可動部を有する遊技機。
【請求項３】
請求項２記載の遊技機であって、
前記可動部は、前記球抜きスイッチを操作していない状態では、前記作動レバーに干渉する位置、および非干渉の位置のいずれにも付勢されていない遊技機。
【請求項４】
電気信号によって補給の可否を切り換えるスイッチ回路が設けられた外部の補給機から遊技球の補給を受ける遊技機であって、
前記遊技球を一時的に蓄積し、蓄積した遊技球を払い出すための蓄積機構と、
前記蓄積機構に、前記遊技球を強制排出させるための動作を指示するための球抜きスイッチと、
前記球抜きスイッチの操作に応じて、前記補給機を非作動状態にするための電気信号を出力する信号出力部とを備える遊技機。
【請求項５】
請求項１〜４記載の遊技機であって、  前記球抜きスイッチは前記遊技機の表面に設けられている遊技機。
【請求項６】
請求項１〜４記載の遊技機であって、
前記蓄積機構は、前記球抜きスイッチの操作から、予め設定された所定の待ち時間を経過した後に、前記前記遊技球の強制排出を開始する遊技機。
【請求項７】
遊技球を強制排出するための球抜きスイッチの操作がされたことを表す電気信号を出力可能な遊技機に対して、遊技球を補給するための補給機であって、
前記遊技球を補給するための補給機構と、
前記電気信号を入力する入力端子と、
前記電気信号の入力に応じて、前記補給機構の動作を停止する停止機構とを備える補給機。
【発明の詳細な説明】
【技術分野】
【０００１】
本発明は遊技球を用いて遊技を行うための遊技機において、遊技機内に蓄積された遊技球を強制排出するための技術に関する。
【背景技術】
【０００２】
パチンコ機その他の遊技機は、遊技に使用する遊技球を内部に蓄積し、蓄積した遊技球を払い出すための機構として、球タンクおよび払出装置から構成される蓄積機構を有している。遊技中には、遊技球は賞球として払い出されたり、クリーニングのために遊技機背面から回収されたりする。遊技機を設置する店舗（以下、「ホール」と呼ぶ）は、各遊技機に遊技球を補給するための補給システムを備えている。ホールでは、島と呼ばれる一つのまとまってエリアに、遊技機を数台横並びに一列に配置するとともに、一定間隔を開けて２列を背中合わせに配置するなどしている。ホールには、この島が複数、形作られている。補給システムは、島単位で設けられていることが多い。この補給システムには、各遊技機に補給される遊技球を計数するとともに、個別に補給可否を切り換えるための補給機が取り付けられている（例えば、特許文献１記載の補給カウンターなど）。
【０００３】
故障時などには、遊技機の前面枠および本体枠を開いて検査その他の対処を行う必要が生じ、かかる場合には、ホールからの遊技球の補給を停止する必要がある。こうした機能を実現するため、補給機には、遊技機の本体枠の開閉をレバーなどの機構で検知し、本体枠を閉じた時にのみ作動する機構が設けられている。補給機には、外部からの電気信号によって、補給を停止させることができるものもある（特許文献２参照）。
【０００４】
【特許文献１】特開平７−２６５５３４号公報
【特許文献２】特開平１０−３２８３７８号公報
【発明の開示】
【発明が解決しようとする課題】
【０００５】
遊技機の入れ替えなどを行う際には、いわゆる球抜き、即ち遊技機内に蓄積された遊技球を強制的な排出を行う必要がある。ホールでは、遊技機の背面に、遊技中に排出される遊技球を回収するための回収システムが島ごとに備えられているのが通常であるから、球抜きの際にも、遊技球をこの回収システムに排出することが便利である。
【０００６】
そこで、従来は、本体枠を一旦開いて、補給機の作動を停止させた後、レバーを取り除いて本体枠を閉じても補給機が作動しないようにし、再び本体枠を閉じて遊技球を強制排出させるという手順で球抜きを行っていた。これは、非常に煩雑な手順であり、改善が望まれていた。本発明は、かかる課題を解決するためになされたものであり、遊技機において球抜きの作業効率を向上させることを目的とする。
【課題を解決するための手段】
【０００７】
本発明は、遊技球を用いた遊技を行う遊技機を対象とする。遊技機は、遊技中、機械的な動作によって補給の可否を切り換える作動スイッチが設けられた外部の補給機から遊技球の補給を受ける。この補給機は遊技機に遊技球を補給可能な位置を選んで島に取り付けられている。
【０００８】
遊技機は、遊技球を一時的に蓄積し、蓄積した遊技球を払い出すための蓄積機構と、球抜きスイッチとを有している。球抜きスイッチは、蓄積機構に対して遊技球を強制排出させるための動作、即ち球抜きを指示するためのスイッチである。本発明の遊技機は、更に、球抜きスイッチの操作に応じて、補給機の作動スイッチを非作動状態に切り換える切換機構を有している。切換機構は、球抜きスイッチの操作に機械的に連動するものであってもよいし、スイッチ操作の電気信号を受けて電気的に動作するものであってもよい。
【０００９】
本発明の遊技機によれば、切換機構の作用により、球抜きスイッチを操作するだけで自動的に補給機からの遊技球の補給を停止させることができるため、球抜きを効率的に行うことができる。また、補給機の作動スイッチは既存の構造をそのまま流用可能であるという利点もある。  
【００１０】
例えば、本体枠を島に開閉可能に取付け可能な遊技機用の補給機の作動スイッチとしては、開閉時に本体枠に取り付けられた構成部品を含む本体枠の一部が干渉することで回動するよう構成された作動レバーを用いることができる。本体枠を開いた状態では、遊技機が作動レバーに干渉しないため、作動レバーは補給機の動作を停止する停止位置にある。本体枠を閉じると、遊技機背面の球タンクなど遊技機の一部が干渉し、補給を許容する作動位置に作動レバーを回動させることができる。
【００１１】
このような作動レバーを備えた補給機に対して、本発明では、蓄積機構の一部を構成する球タンクを、本体枠を閉じても作動レバーと干渉しない状態に設ける。作動レバーとの干渉を回避するよう球タンクの形状および位置を選択すればよい。そして、切換機構として、本体枠を閉じた状態で作動レバーに干渉して作動状態に回動させるとともに、球抜きスイッチの操作に応じて作動レバーと非干渉の状態となる可動部を設ける。こうすることにより、比較的簡易な機構で切換機構を構成することができる。作動レバーの作動時／非作動時で、蓄積機構の位置または形状の変化を伴わないため、遊技中および球抜き時の遊技球の動きを阻害するおそれも回避できる。
【００１２】
上述の可動部は、球抜きスイッチを操作していない状態では、作動レバーに干渉する位置、および非干渉の位置のいずれにも付勢しないことが好ましい。こうすることで、切換機構の構成を更に簡略化することができる。付勢されていない状態では、作動レバーを非作動状態にした後、作動状態に自動的に戻すことが困難となるおそれがあるものの、球抜きは、遊技機の入れ替えなどの限られた場面で行われるため、このことによる支障は小さい。
【００１３】
本発明の遊技機では、球抜きスイッチは遊技機の表面に設けることが好ましい。こうすることにより、本体枠を開閉させるまでなく球抜きを効率的に実行することができる。表面とは、遊技者に面した側を言う。従って、球抜きスイッチは、必ずしも外部から操作可能である必要はなく、例えば、本体枠の前面に更に前面枠を設け、この本体枠と前面枠との間に球抜きスイッチを設けるようにしてもよい。
【００１４】
また、蓄積機構は、球抜きスイッチの操作から、予め設定された所定の待ち時間を経過した後に、遊技球の強制排出を開始するよう構成することが好ましい。こうすることにより、補給機の動作を確実に停止させてから球抜きを開始させることができる。また、球抜きスイッチが遊技機の背面に設けられている場合には、本体枠を閉じてから、球抜きを開始させることができる。
【００１５】
本発明は、第２の態様として、電気信号によって補給の可否を切り換えるスイッチ回路が設けられた外部の補給機から遊技球の補給を受ける遊技機を対象として構成することもできる。第２の態様における遊技機は、上述の切換機構に代えて、球抜きスイッチの操作に応じて、補給機を非作動状態にするための電気信号を出力する信号出力部を備える。
【００１６】
一方、補給機には、遊技球を補給するための補給機構の他、上述の遊技機からの電気信号を入力する入力端子を設け、ここからの電気信号の入力に応じて、補給機構の動作を停止する停止機構を設ける。入力端子は補給機と一体で構成してもよいし、既存の入力端子を分岐させる外付け回路で構成してもよい。
【００１７】
第２の態様においても、球抜きスイッチは遊技機の表面に設けられていることが好ましい。また、蓄積機構は、球抜きスイッチの操作から、予め設定された所定の待ち時間を経過した後に、前記遊技球の強制排出を開始するよう構成されていることが望ましい。
【００１８】
本発明は、上述した種々の特徴を必ずしも全て備えている必要はなく、一部を省略したり、適宜組み合わせて適用したりしてもよい。
【発明を実施するための最良の形態】
【００１９】
本発明の実施例について以下の順序で説明する。
Ａ．全体構成：
Ｂ．遊技機の設置状態：
Ｃ．遊技盤の背面構造：
Ｄ．補給可否の切換：
Ｅ．切換機構：
Ｆ．球抜き処理：
Ｇ．効果および変形例：
Ｈ．第２実施例：
【００２０】
Ａ．全体構成：
図１は実施例としてのパチンコ機の全体構成を示す斜視図である。外枠１０、本体枠４０、前面枠３０を開いた状態を示した。図の煩雑化を回避するため、遊技領域の釘などの取付部品は図示を省略した。これらの枠は、ヒンジ機構１１によって、開閉可能に連結されている。
【００２１】
外枠１０は、縦長四角形の木製枠であり、パチンコ機をホールの島に設置する固定枠となる。  本体枠４０は、合成樹脂材製の矩形枠である前枠体４１、およびそこにはめ込まれた遊技盤４２から構成される。遊技盤４２の右下側には、パチンコ機内に蓄積された遊技球を強制的に排出させるための球抜きスイッチ４３が設けられている。前面枠３０には、遊技盤４２の遊技領域に合わせて略円形の開口窓３１が形成されている。前枠体４１は、外枠１０、本体枠４０、前面枠３０を閉状態で施錠することが可能である。
【００２２】
図２はパチンコ機の正面図である。前面枠３０、本体枠４０、外枠１０を閉じた状態を示した。前面枠３０の開口窓３１の周囲は合成樹脂等で形成された不透明の装飾板となっている。従って、本体枠４０に設けられた球抜きスイッチ４３は、前面枠３０を閉じた状態では視認できなくなる。後述する球抜き操作の際には、係員は、前面枠３０を開けて球抜きスイッチ４３を操作することになる。
【００２３】
Ｂ．パチンコ機の設置状態：
図３はパチンコ機の島への設置状態を示す説明図である。島２００では、図示するように、並列に固定された外枠に、それぞれ本体枠、前面枠を取り付けることで、複数台のパチンコ機が並列に設置される。図中には、パチンコ機を背面から見た状態を示した。並んで配置された本体枠４０［１］〜４０［３］を見ることができる。
【００２４】
遊技球は、島に設置された補給システムから各パチンコ機に補給される。遊技球は、補給システムは、遊技球の供給用樋１００を矢印Ａの方向に転がり、各パチンコ機に対応して設けられた供給管１０１［１］〜１０１［３］を通って補給される。供給管１０１［１］〜１０１［３］の先端には、補給機１１０［１］〜１１０［３］が島に固定されている。補給機１１０［１］〜１１０［３］は、パチンコ機に補給される遊技球を計数したり、本体枠を開いた時や規定数以上の賞球を払い出した時などに補給を停止したりするための装置である。
【００２５】
遊技中、賞球として払い出されなかった遊技球は、図中の矢印Ｂに示すように、遊技盤の背面から排出される。排出された遊技球は、回収用樋１０２を通って、回収され、クリーニングされた後、再び供給用樋１００から各パチンコ機に補給される。球抜きによって、パチンコ機から強制的に排出された遊技球も、同様に回収用樋１０２によって回収される。
【００２６】
Ｃ．パチンコ機の背面構造：
図４はパチンコ機の背面構造を示す説明図である。パチンコ機の上方には補給された遊技球を蓄積するための球タンク４４が設けられている。ここに蓄積された遊技球は払出装置４５によって賞球として払い出され、遊技に使用される。払出装置４５は、ステッピングモータによってスプロケットを回転させて遊技球を１個ずつ払い出す機構である。
【００２７】
払出装置４５の動作は、払出制御基板４６によって制御される。遊技中に遊技球が所定の入賞口に入賞すると、メイン制御基板（図示せず）が払出制御基板４６に賞球の払出しコマンドを送出し、払出制御基板４６がこのコマンドに応じてステッピングモータを回転させることで規定数の賞球を払い出す。
【００２８】
球タンク４４の内部には、図に示すように、球不足検出スイッチ４５ａが設けられている。遊技球が球タンク４４内に存在する時には、左上図に示すように、球不足検出スイッチ４５ａは遊技球Ｐによって押された状態となるが、遊技球Ｐが不足すると、左下図のように球不足検出スイッチ４５ａの接点が解放されるため、球切れを検出することができる。検出結果は、本体枠４０の上部に設けられた出力端子４８から出力される。
【００２９】
この検出信号を図３で示した補給機１１０に入力可能とし、球タンク４４内に遊技球が不足した時にのみ遊技球の補給を行うようにしてもよい。本実施例では、後述する通り、補給機１１０は補給可否を機械的に切り換える機構を有しているため、出力端子４８は使用しなくてもよい。
【００３０】
遊技盤４２の下方には、遊技球を排出するための排出口４７が設けられている。遊技中にいずれの入賞口にも入賞しなかった遊技球や、球抜き時に払出装置４５から抜き出される遊技球は、この排出口４７から排出される。本実施例では、図１に示したように遊技盤４２の表面に球抜きスイッチ４３を設けたが、図示するように背面の払出制御基板に球抜きスイッチ４３ａを設けても良い。表面の球抜きスイッチ４３と背面の球抜きスイッチ４３ａの双方を設けるようにしてもよい。
【００３１】
Ｄ．補給可否の切換：
図５は補給機の動作を示す説明図である。先に説明した通り、補給機１１０は島２００に固定されており、供給管１０１から供給される遊技球をパチンコ機の球タンク４４に補給する。補給機１１０の下部には、図中の紙面裏方向から表方向に回動可能なレバー１１２が設けられている。また、レバー１１２に連動して回動する供給口１１３が設けられている。
【００３２】
レバー１１２は補給機の動作を補給可能状態／停止状態で切り換えるための機械的なスイッチである。図示するようにパチンコ機の本体枠４０を閉じると、球タンク４４などパチンコ機の背面の一部がレバー１１２を押すように干渉し、図示する位置に回動させる。この回動に合わせて、供給口１１３が球タンク４４内に位置するようになると、遊技球の補給が可能となる。
【００３３】
本体枠４０を開くと、レバー１１２を押す部材がなくなるため、レバー１１２は付勢力によって図中の裏面方向に回動し、補給機１１０からほぼ垂直に降りた状態に位置する。この回動に合わせて供給口１１３は補給機１１０の内部にほぼ引き込まれる状態となり、遊技球の補給が停止される。
【００３４】
図５では、図の煩雑化を回避するため、球タンク４４自体でレバー１１２を押しているかのように示したが、本実施例のパチンコ機は、レバー１１２を押す部材が球タンク４４とは別に設けられている。以下では、レバー１１２を押す機構（この機構を、補給機の動作状態を切り換えるための機構という意味で「切換機構」と称する）について具体的に説明する。
【００３５】
Ｅ．切換機構：
図６は切換機構の構造を示す説明図である。図５中の矢印Ｖ１方向から見た状態を示した。図の状態は、本体枠４０を半閉じにした状態である。従って、レバー１１２はほぼ垂直に降りており、供給口１１３は補給機１１０内にほぼ収容された状態となっている（以下、この状態を非作動位置と呼ぶ）。
【００３６】
球タンク４４の背面側には、遊技盤４２を閉じた時にレバー１１２を押すように干渉する断面Ｌ字形のレバー干渉部５２が設けられている。レバー干渉部５２は球タンク４４に固定されたソレノイド５０に支柱５１を介して支えられている。ソレノイド５０は球抜きスイッチ４３（図１参照）の操作に応じて励磁するよう構成されている。ソレノイド５０を励磁すると、支柱５１およびレバー干渉部５２は矢印Ｓ方向に引き込まれる。切換機構の側面図（図中の矢印Ｖ２から見た状態）、および正面図（図中の矢印Ｖ３から見た状態）について次に説明する。
【００３７】
図７は切換機構の側面図および正面図である。図７（ａ）に側面図を示し、図７（ｂ）に正面図を示した。側面図は本体枠４０を閉じた状態を表している。図示する通り、補給機１１０のレバー１１２をレバー干渉部５２が押すことにより、供給口１１３が球タンク４４内に位置するようになる（以下、レバー１１２がこの位置にある状態を作動位置と呼ぶ）。
【００３８】
図中には、非作動状態におけるレバー１１２および供給口１１３の位置を示した。レバー干渉部５２がなかったとすると、本体枠４０を閉じたとしても球タンク４４はレバー１１２と干渉しない位置に設けられていることが分かる。
【００３９】
図７（ｂ）は切換機構の正面図である。ソレノイド５０を励磁していない状態では、実線で示す位置５２Ａにレバー干渉部は位置し、レバー１１２を押すことができる。ソレノイド５０を例磁すると、レバー干渉部５２はソレノイド５０内に引き込まれるように動き、二点鎖線で示す位置５２Ｂに位置する。この結果、レバー干渉部５２はレバー１１２と干渉し得なくなる。この結果、レバー１１２は図７（ａ）中に二点鎖線で示した通り、非作動位置に移動し、補給機１１０は遊技球の補給を停止する。つまり、レバー干渉部５２は、その位置によって補給機１１０を作動状態／非作動状態に切り換えることが可能である。従って、本実施例では、球抜きスイッチ４３を操作すると、ソレノイド５０が励磁されてレバー干渉部５２が移動し、自動的に補給が停止されることになる。
【００４０】
本実施例では、レバー干渉部５２は作動位置および非作動位置のいずれにも付勢されていない。ソレノイド５０が励磁していない状態では、容易にその位置を変更可能である。ホールの係員は、予めレバー干渉部５２を図７（ｂ）中の位置５２Ａの状態に引き出した上で本体枠４０を閉じることにより補給機１１０を稼働させることができる。レバー干渉部５２を位置５２Ａの状態で保持するための係合部を、レバー干渉部５２および球タンク４４に設けても良い。ただし、係合部による保持力は、ソレノイド５０の励磁によって解除できる程度に抑えておく必要がある。
【００４１】
Ｆ．球抜き処理：
図８は球抜き処理のフローチャートである。ＣＰＵ，ＲＡＭ，ＲＯＭを備えた払出制御基板４６が、予めＲＯＭ内に用意された制御用のプログラムに従って、実行する処理である。
【００４２】
ＣＰＵは、球抜きスイッチ４３の状態を検出し（ステップＳ１０）、球抜きスイッチ４３がオンとなっていない時には、そのまま処理を完了する。オンとなっている時には（ステップＳ１０）、遊技中の払出しが完了するまで待ち（ステップＳ１２）、払出しが完了した後、ソレノイド５０を励磁させてレバー干渉部５２を引き込む（ステップＳ１４）。
【００４３】
その後、予め設定された待ち時間の経過を待ってから（ステップＳ１６）、球抜き動作を開始する（ステップＳ１８）。この待ち時間は、球抜き動作開始時点で遊技球の補給停止を保証するために設けられたものであり、レバー干渉部５２の引き込み、補給機１１０の補給停止に要する時間を考慮して任意に設定可能である。待ち時間は省略しても構わない。球抜き動作は、払出機構４５（図４参照）に備えられたステッピングモータを回転させて遊技球を排出する処理である。この処理は、途中で強制終了の指示を受けるか（ステップＳ２０）、所定時間が経過するまで（ステップＳ２２）、継続して実行する。強制終了の指示を受けた場合、または所定時間が経過した場合には、球抜き処理を完了する。所定時間は、遊技球を概ね排出可能な範囲で任意に設定可能である。排出される遊技球の有無をセンサで検出し、遊技球が排出されなくなった時点で球抜き処理を終了するようにしてもよい。
【００４４】
Ｇ．効果および変形例：
以上で説明した実施例のパチンコ機によれば、本体枠４０を閉じた状態で、球抜きスイッチ４３を操作すれば、補給機１１０からの補給が自動的に停止され、球抜きが実行される。従って、係員は、補給機１１０を停止させるための作業を行う必要がなくなり、効率的に球抜きを行うことが可能となる。
【００４５】
切換機構は、図６，７で示した例に限らず、種々の構造を採用することができる。図９は変形例としての切換機構を示す説明図である。図９（ａ）は切換機構を上方から見た平面図を示し、図９（ｂ）は斜視図を示している。
【００４６】
図９（ｂ）の斜視図に示す通り、変形例ではレバー１１２に干渉しないよう球タンク４４Ａの奥行きが一部で狭くなっている。そして、奥行きが狭くなる段差部４４Ｂの外部には、ヒンジ機構によって回動可能に扉６２が取り付けられている。球タンク４４Ａには、ソレノイド６０が固定されている。ソレノイド６０からは支柱６１が突出しており、扉６２を図示の開状態に保持する。
【００４７】
図９（ａ）に示す通り、扉６２は本体枠を閉じた時にレバー１１２を押すことができる。この状態で、ソレノイド６０が励磁すると、支柱６１が矢印ＳＡ方向に引き込まれる。この結果、扉６２は支えを失うため、レバー１１２に押されるようにして、矢印ＣＬ方向に閉じ、レバー１１２は図中の二点鎖線で示した非作動位置に移動する。
【００４８】
変形例の切換機構によっても、ソレノイド６０の励磁によって、レバー１１２を自動的に非作動状態に移動させることができるため、球抜き作業を効率的に行うことが可能である。切換機構は、実施例および変形例で示したものに限られず、遊技盤の開閉を伴わずにレバー１１２を非作動状態に移行させ得る種々の機構を用いることができる。
【００４９】
Ｈ．第２実施例：
図１０は第２実施例におけるパチンコ機の概略構造を示す説明図である。本体枠４０Ａの背面の状態を示した。第２実施例では背面に球抜きスイッチ４３ａが設けられているものとして説明する。第１実施例と同様、表面に球抜きスイッチを設けても差し支えない。
【００５０】
第２実施例の本体枠４０Ａは、補給機１１０Ａに対して、球抜きスイッチの操作状態を電気信号として出力可能である。本実施例では、球抜きスイッチが操作されている時に、導通する出力端子４８Ａを設けるものとした。第１実施例（図４参照）に示すように球不足を知らせるための出力端子４８が設けられている場合には、この出力端子４８と球抜きスイッチの検出結果の出力端子を兼用してもよい。例えば、２つのフォトカプラに、それぞれ個別の検出信号を入力するとともにそれぞれの出力を並列接続した内部回路とすればよい。遊技球が不足していない場合、または球抜きスイッチが操作されている場合にそれぞれのフォトカプラの出力が導通状態となり出力端子４８導通状態となるよう内部回路を構成すればよい。
【００５１】
補給機１１０Ａには、第１実施例で説明した通り、レバー１１２が設けられている。第２実施例で用いる補給機１１０Ａには、更に電気的に補給可否を切換可能な補給機構１１５が設けられている。かかる補給機構１１５自体の構造は、多種多様のものが知られているため、ここでは詳細な構造についての説明を省略する。
【００５２】
また、補給機１１０Ａには、球タンク４４Ｃ内の遊技球の残量を検出するためのタンク球センサ１１８が設けられている。タンク球センサ１１８の原理は、払出機構内の球不足検出スイッチ４５ａと同じである。即ち、球タンク４４Ｃ内の遊技球が減ってくると、タンク球センサ１１８に備えられたマイクロスイッチの接点が解放されることにより、残量減を検出することができる。
【００５３】
補給機１１０Ａには、タンク球センサ１１８の検出結果がスイッチ１１６に入力され、球抜きスイッチ４３ａの操作状態がスイッチ１１７に入力される。スイッチ１１６、１１７は補給機構１１５に対して直列に設けられたスイッチとなる。スイッチ１１６は、タンク球センサ１１８によってタンク球の不足が検出された時にオンとなる。スイッチ１１７は球抜きスイッチが操作されていない時にオンとなる。従って、補給機１１０Ａは、タンク球の残量が十分に存在する時、または球抜きスイッチが操作されている時に補給を停止することになる。
【００５４】
図１１は第２実施例における球抜き処理のフローチャートである。第１実施例（図８）の球抜き処理におけるステップＳ１４の処理、即ち球抜きスイッチの操作に応じてレバー干渉部を引き込む処理に代えて、補給機１１０Ａに球抜きスイッチがオンとなっている信号を出力する処理を実行する（ステップＳ１４Ａ）。図１０で説明した通り、この処理によって補給機１１０Ａは補給動作を停止するため、効率的に球抜きを行うことができる。
【００５５】
なお、第２実施例では、遊技機の背面に設けられた球抜きスイッチ４３ａを用いるものとした。この場合には、本体枠を開けた状態で球抜きスイッチ４３ａを操作した後、本体枠を閉じて球抜きを行うことになる。球抜き処理（図１１）では、本体枠を閉じるまでの所要時間を考慮して、ステップＳ１６における待ち時間を設定することにより、排出される遊技球を回収用樋１０２で確実に回収することが可能となる。もっとも、第２実施例においても、第１実施例と同様、遊技機の表面に球抜きスイッチを設けることもでき、この場合には、ステップＳ１６における待ち時間は短く設定しても差し支えない。
【００５６】
以上、本発明の種々の実施例について説明したが、本発明はこれらの実施例に限定されず、その趣旨を逸脱しない範囲で種々の構成を採ることができることはいうまでもない。
【図面の簡単な説明】
【００５７】
【図１】実施例としてのパチンコ機の全体構成を示す斜視図である。
【図２】パチンコ機の正面図である。
【図３】パチンコ機の島への設置状態を示す説明図である。
【図４】遊技盤４２の背面構造を示す説明図である。
【図５】補給機の動作を示す説明図である。
【図６】切換機構の構造を示す説明図である。
【図７】切換機構の側面図および正面図である。
【図８】球抜き処理のフローチャートである。
【図９】変形例としての切換機構を示す説明図である。
【図１０】第２実施例におけるパチンコ機の概略構造を示す説明図である。
【図１１】第２実施例における球抜き処理のフローチャートである。
【符号の説明】
【００５８】
１０…外枠
１１…ヒンジ機構
３０…前面枠
３１…開口窓
４０、４０Ａ…本体枠
４１…前枠体
４２…遊技盤
４３、４３ａ…球抜きスイッチ
４４、４４Ａ、４４Ｃ…球タンク
４４Ｂ…段差部
４５…払出装置
４５ａ…球切れ検出スイッチ
４６…払出制御基板
４７…排出口
４８、４８Ａ…出力端子
５０…ソレノイド
５１…支柱
５２…レバー干渉部
６０…ソレノイド
６１…支柱
６２…扉
１００…供給用樋
１０１…供給管
１０２…回収用樋
１１０、１１０Ａ…補給機
１１２…レバー
１１３…供給口
１１５…補給機構
１１６、１１７…スイッチ
１１８…タンク球センサ 
２００…島
【図１】
2006314555.tif 000003
【図２】
2006314555.tif 000004
【図３】
2006314555.tif 000005
【図４】
2006314555.tif 000006
【図５】
2006314555.tif 000007
【図６】
2006314555.tif 000008
【図７】
2006314555.tif 000009
【図８】
2006314555.tif 000010
【図９】
2006314555.tif 000011
【図１０】
2006314555.tif 000012
【図１１】
2006314555.tif 000013